(57)【要約】      （修正有）【課題】食品保存時間や賞味期限を設定することができ、食品の保存時間を正確に把握することが容易になるタイムセッティングデバイス付き食品保存用密閉容器を提供する。【解決手段】本体１と、密封蓋２と、を備えるタイムセッティングデバイス付き食品保存用密閉容器を開示している。密封蓋は、蓋本体周縁の複数のラッチ３を介して本体に密着され、本体又は密封蓋又はラッチには、タイムセッティングデバイスが設けられている。当該タイムセッティングデバイスは、スライドレール４１と、当該スライドレールに沿って左右にスライド可能な指示用スライダー４２と、を備える。スライドレールには、等間隔に配置された複数の日付マーク４３が設けられている。指示用スライダーには、日付マーク側に指示用尖端部が設けられている。指示用スライダーがスライドレールに沿って移動することにより、指示用尖端部が複数の日付マークのうちのいずれか１つのマークに対応するようになる。【選択図】図１
0003229053.tif 000002
【実用新案登録請求の範囲】
【請求項１】
本体と、蓋本体周縁の複数のラッチを介して前記本体に密着される密閉蓋と、を備えるタイムセッティングデバイス付き食品保存用密閉容器であって、
前記本体又は前記密閉蓋又は前記ラッチには、スライドレールと、当該スライドレールに沿って左右にスライド可能な指示用スライダーとを備えたタイムセッティングデバイスが設けられており、
前記スライドレールには、等間隔に配置された日付マークが設けられ、
前記指示用スライダーは、日付マーク側に指示用尖端部が設けられており、
前記指示用スライダーが前記スライドレールに沿って移動することにより、前記指示用尖端部が前記日付マークのうちのいずれか１つのマークに対応するようになる、
ことを特徴とするタイムセッティングデバイス付き食品保存用密閉容器。
【請求項２】
前記スライドレールはＴ字状の断面を有するレールであり、
前記指示用スライダーは反転した略Ｕ字状に形成されたものであり、Ｕ字状のキャビティの底部の両側には、２つの内側突起が対向するように設けられることにより、前記スライドレールに係合される、
ことを特徴とする請求項１に記載のタイムセッティングデバイス付き食品保存用密閉容器。
【請求項３】
前記スライドレールと前記指示用スライダーとの間には、前記指示用スライダーが所定の位置に調整されていることを示す位置決め装置が設けられている、
ことを特徴とする請求項２に記載のタイムセッティングデバイス付き食品保存用密閉容器。
【請求項４】
前記位置決め装置は、前記スライドレールの裏面に設けられ、等間隔に一列に配置される位置決め溝と、前記指示用スライダーのＵ字状キャビティ内に設けられる位置決め突起と、を備え、
前記位置決め溝の数および位置が前記日付マークに対応するように設定され、
前記指示用スライダーが所定の位置にスライドすると、前記位置決め突起が、対応する一つの位置決め溝に係合するようになる、
ことを特徴とする請求項３に記載のタイムセッティングデバイス付き食品保存用密閉容器。
【請求項５】
前記位置決め装置は、前記スライドレールの裏面に設けられ、等間隔に一列に配置される位置決め突起と、前記指示用スライダーのＵ字状キャビティ内に設けられる位置決め溝と、を備え、
前記位置決め突起の数および位置が前記日付マークに対応し、
指示用前記スライダーが所定の位置にスライドすると、前記位置決め溝が、対応する１つの位置決め突起に係合するようになる、
ことを特徴とする請求項３に記載のタイムセッティングデバイス付き食品保存用密閉容器。
【請求項６】
前記指示用スライダーの頂部には、指からの摩擦力を高めるための複数のリブが設けられている、
ことを特徴とする請求項１〜５のいずれか一項に記載のタイムセッティングデバイス付き食品保存用密閉容器。
【請求項７】
前記ラッチと前記密閉蓋とは一体成形されるか個別に設けられ、個別に設けられる場合には、前記ラッチが尾部の両側でピン軸を介して前記密閉蓋の縁部の連結座に移動可能にヒンジ接続され、
前記ラッチの下部の内側にはバーブが設けられており、ラッチ全体を下に反転させると、前記バーブは前記本体の接続突起の下部に係合するようになる、
ことを特徴とする請求項１〜５のいずれか一項に記載のタイムセッティングデバイス付き食品保存用密閉容器。
【請求項８】
前記バーブの頭部には、上向きに複数の円弧状の突起が設けられている、
ことを特徴とする請求項７に記載のタイムセッティングデバイス付き食品保存用密閉容器。
【請求項９】
前記ラッチの底部には、前記ラッチを引く際に指の力を入れやすくするための雄レンチが下向きに設けられている、
ことを特徴とする請求項７に記載のタイムセッティングデバイス付き食品保存用密閉容器。
【請求項１０】
前記密閉蓋と前記本体が口部に沿って接触する部位にはシール溝が設けられ、当該シール溝内にはシールリングが設けられている、
ことを特徴とする請求項１〜５のいずれか一項に記載のタイムセッティングデバイス付き食品保存用密閉容器。
【考案の詳細な説明】
【技術分野】
【０００１】
本考案は食品保存容器に関し、特にタイムセッティングデバイス付き食品保存用密閉容器に関する。
【背景技術】
【０００２】
食品保存用密閉容器は、生活の中でよく見られる生活用品であり、本体と密閉蓋との密着により、容器内の食品を外部の空気から効果的に遮断して、防湿、防虫、酸化防止等の目的を達成し、保存食品の変質を一定期間防ぐことができる。
【０００３】
食品にはいずれも賞味期限がある。賞味期限が切れると、虫やカビ等が発生しやすくなる。カビが発生すると、強力な発癌物質であるアスペルギルス・フラバス（Ａｓｐｅｒｇｉｌｌｕｓ  ｆｌａｖｕｓ）が大量に発生し、食用者の健康に深刻な被害をもたらす。従って、期限切れの食品の廃棄による資源の無駄遣いを防ぐように、食品は、賞味期限内に食用し、期限切れになると廃棄するべきである。
【０００４】
しかし、従来の保存用密閉容器は構造がより簡単で機能が単一であり、密閉保存の基本的な機能しか持たず、対応する保存時間喚起装置が設けられていない。生活の中で、複数の同じ密閉容器を同時に使用する場合、各密閉容器内の食品は通常同時に入れるのではないが、使用者が保存の日付や賞味期限を忘れやすいため、すでに食品の賞味期限が過ぎていのに、それを忘れ無視して食べ続けることが発生しやすいため、人々の健康に被害をもたらしている。
【０００５】
食料の保存期間が過ぎる問題に対応するために、使用者は日付シールを使用してマーキングをすることがあるが、その操作が面倒であり、また、しっかりと貼られていないとシールが剥がれる場合もある。食品を入れ替える際には、シールを同時に交換する必要がある。しかし、古いシールの除去は面倒であり、粘着剤が残留することがあり、密閉容器の外形の清潔性及び美観性に影響を与えるだけでなく、粘着剤自体に毒性があるため、不適切に使用すると、食品を一定に汚染する可能性がある。
【考案の概要】
【考案が解決しようとする課題】
【０００６】
上記の問題に鑑み、本考案は、タイムセッティングデバイス付き食品保存用密閉容器を提供することを目的とする。このタイムセッティングデバイスは、食品の保存時に食品の保存時間または賞味期限を設定することができるため、食品の保存時間および有効期限を正確に把握することが容易になり、簡単な構造、直感的な表示、使いやすいという特徴を持っている。
【課題を解決するための手段】
【０００７】
上記目的を達成するために、本体と、蓋本体周縁の複数のラッチを介して本体に密着される密閉蓋と、を備えるタイムセッティングデバイス付き食品保存用密閉容器であって、本体又は密閉蓋又はラッチには、スライドレールと、当該スライドレールに沿って左右にスライド可能な指示用スライダーと、を備えたタイムセッティングデバイスが設けられており、スライドレールには、等間隔に配置された複数の日付マークが設けられ、指示用スライダーは、日付マーク側に指示用尖端部が設けられており、指示用スライダーがスライドレールに沿って移動することにより、指示用尖端部が複数の日付マークのうちのいずれか１つのマークに対応するようになる、タイムセッティングデバイス付き食品保存用密閉容器を提供する。
【０００８】
スライドレールはＴ字状の断面を有するレールであり、指示用スライダーは反転した略Ｕ字状に形成されたものであり、Ｕ字状のキャビティの底部の両側には、２つの内側突起が対向するように設けられることにより、スライドレールに係合されることができる。
【０００９】
スライドレールと指示用スライダーとの間には、指示用スライダーが所定の位置に調整されていることを示す位置決め装置を設けることができる。
【００１０】
位置決め装置は、スライドレールの裏面に設けられ、等間隔に一列に配置される位置決め溝と、指示用スライダーのＵ字状キャビティ内に設けられる位置決め突起と、を備え、位置決め溝の数および位置が、日付マークに対応するように設定され、指示用スライダーが所定の位置にスライドすると、位置決め突起が、対応する１つの位置決め溝に係合するようになる。
【００１１】
位置決め装置は、スライドレールの裏面に設けられ、等間隔に一列に配置される位置決め突起と、指示用スライダーのＵ字状キャビティ内に設けられる位置決め溝と、を備え、位置決め突起の数および位置が日付マークに対応し、指示用スライダーが所定の位置にスライドすると、位置決め溝が、対応する１つの位置決め突起に係合するようになる。
【００１２】
指示用スライダーの頂部には、指からの摩擦力を高めるための複数のリブを設けることができる。
【００１３】
ラッチと密封蓋とは一体成形されるか個別に設けられ、個別に設けられる場合には、ラッチが尾部の両側でピン軸を介して密封蓋の縁部の連結座に移動可能にヒンジ接続され、ラッチの下部の内側にはバーブが設けられており、ラッチ全体を下に反転させると、バーブは本体の接続突起の下部に係合するようになる。
【００１４】
バーブの頭部には、上向きに複数の円弧状の突起を設けることができる。
【００１５】
ラッチの底部には、ラッチを引く際に指の力を入れやすくするための雄レンチを下向きに設けることができる。
【００１６】
密封蓋と本体が口部に沿って接触する部位にはシール溝を設け、当該シール溝内にはシールリングを設けることができる。
【００１７】
上記構成の食品保存用密閉容器のタイムセッティングデバイスは、食品の保存のために、保存時間や賞味期限を設定することができる。
【００１８】
使用中、食品を入れる際には、指示用スライダーの指示用尖端部が具体的にな保存日または賞味期限を指し示すように指示用スライダーを移動させるだけでよく、直感的で、イメージ的で、目立つような表示方法で、忘れたり無視したりして誤って賞味期限切れの食品を食べてしまうことを防ぐように使用者に注意を呼びかけ、簡単で実用的であるという特徴を有する。
【図面の簡単な説明】
【００１９】
【図１】本考案の立体構造概略図である。
【図２】本考案の密閉蓋の立体構造概略図である。
【図３】本考案の密閉蓋の別の視点からの立体構造概略図である。
【図４】本考案のタイムセッティングデバイス付き分離式ラッチの立体構造概略図である。
【図５】本考案の指示用スライダーの立体構造概略図である。
【考案を実施するための形態】
【００２０】
以下、図面を参照して本考案をさらに詳しく説明する。
図１〜図５に示すように、タイムセッティングデバイス付き食品保存用密閉容器は、本体１と密閉蓋２とを含む。密閉蓋２は蓋本体周縁の複数のラッチ３を介して本体１に密着される。ラッチ３の数は、２つ、３つ、又はそれ以上である。本図において、本体１と密閉蓋２は四角形であり、各側辺にはいずれもラッチ３が設けられている。実際には、密閉容器のサイズ及び形状に応じて対応する数のラッチ３を選択することができる。
【００２１】
ラッチ３と密閉蓋２とは一体成形されるか又は個別に設けられる。本例では後者を採用している。両者が個別に設けられる場合、ラッチ３が尾部両側でピン軸３１を介して密閉蓋２の縁部の連結座２１に移動可能にヒンジ接続される。ラッチ３の下部の内側にはバーブ３２が設けられる。ラッチ３全体を下に反転させると、バーブ３２は本体１の接続突起１１の下部に係合するようになる。ラッチ３の反転操作を容易にするために、ラッチ３の底部には、ラッチ３を引く際に指の力を入れやすくするための雄レンチ３３が下向きに設けられる。
【００２２】
係合効果を高めるために、バーブ３２の頭部には、上向きに複数の円弧状の突起３２１が設けられる。
【００２３】
密閉性を高めるために、密閉蓋２と本体１が口部に沿って接触する部位にはシール溝２２が設けられ、シール溝２２内にはシールリング２３が設けられている。
【００２４】
本体１又は密閉蓋２又はラッチ３にはタイムセッティングデバイスが設けられている。本図は時タイムセッティングデバイスがラッチ３に設けられ且つ水平レイアウトになっていることのみを示す。本体１または密閉蓋２に設けられる構造は同じであり、唯一の違いは、設置位置および設置方向（水平または垂直）が異なるだけであり、ほかの説明は繰り返さない。
【００２５】
タイムセッティングデバイスは、スライドレール４１と、当該スライドレールに沿って左右にスライド可能な指示用スライダー４２とを備える。
【００２６】
スライドレール４１はＴ字状の断面を有するレールであり、指示用スライダー４２は反転した略Ｕ字状に形成されたものであり、指示用スライダー４２のＵ字状のキャビティの底部の両側には、２つの内側突起４２１が対向するように設けられることにより、スライドレール４１に係合される。
【００２７】
スライドレール４１の横には、等間隔に配置される複数の日付マーク４３が設けられており、日付マーク４３の態様は、数字、模様、または、１週間毎日の英文の頭文字でである。本図では、第三種類を採用しており、すなわち、Ｓ、Ｍ、Ｔ、Ｗ、Ｔ、Ｆ、Ｓ等の文字が等間隔に付されており、それぞれ日曜日から土曜日までを指している。実際に、日付マーク４３は、必要に応じて他の態様に設定することができる。
【００２８】
指示用スライダー４２には、対応する日付マーク側に指示用尖端部４２２が設けられている。指示用スライダー４２がスライドレール４１に沿って移動することにより、指示用尖端部４２２が複数の日付マーク４３のうちのいずれか１つのマークに対応するようになり、食品の投入日または賞味期限を確定することができる。
【００２９】
上記構成の食品保存用密閉容器のタイムセッティングデバイスは、食品の保存のために、保存時間や賞味期限を設定することができる。
【００３０】
食品を容器内に入れる際には、指示用スライダー４２の指示用尖端部４２２が具体的な保存日または賞味期限に対応する日付マーク４３を指し示すように指示用スライダー４２を移動させるだけでよい。これは直感的で、イメージ的で、目立つような表示方法で使用者に注意を呼びかけている。一方では、使用者に賞味期限内に食品を使い切るように促すことで、食品の賞味期限が切れて資源の無駄遣いになることを防ぎ、他方では、賞味期限切れの食品に対して効果的な警告をすることで、使用者が忘れたり無視したりして誤って賞味期限切れの食品を食べてしまうことを防ぎ、構造が簡単で実用的であるという特徴を有する。
【００３１】
操作感や使い勝手を向上させるために、スライドレール４１と指示用スライダー４２との間には、指示用スライダー４２が所定の位置に調整されていることを示す位置決め装置が設けられている。
【００３２】
本図において、位置決め装置は、スライドレール４１の裏面に設けられ、等間隔に一列に配置される位置決め溝４４ａと、指示用スライダー４２のＵ字状キャビティ内に設けられる位置決め突起４４ｂと、を備える。位置決め溝４４ａの数および位置が、日付マーク４３に対応する。指示用スライダー４２が所定の位置にスライドすると、位置決め突起４４ｂが、対応する１つの位置決め溝４４ａに係合することができる。
【００３３】
以上のような位置決め装置を設けることにより、指示用スライダー４２が所定の位置に移動した後、スライドレール４１上での効率的な位置決めが可能となる。使用中には、外力が十分に大きい場合のみに係合抵抗を克服し、指示用スライダー４２を再度移動されることができ、指示用スライダー４２の使用中に自由にスライドする現象が発生することを防ぎ、設定日付の正確性を保証することができる。
【００３４】
また、上記の位置決め装置の存在により、位置決め突起４４ｂが対応する位置決め溝４４ａに入り込むときに係合するパチン音が発生し、操作感を向上させるだけでなく、発生する音は所定の位置に設定されているか否かを知らせることができ、指示用スライダー４２の移動操作の利便性をある程度向上させることができる。
【００３５】
指で引く際にかかる力を考慮して、指示用スライダー４２の頂部には、指で操作する際の摩擦抵抗を高めるための複数のリブ４２３が設けられている。
【００３６】
上記の位置決め装置の位置決め突起４４ｂと位置決め溝４４ａの位置は互いに交換して設置することができる。即ち、スライドレール４１の裏面には等間隔に一列に配置される位置決め突起が設けられ、指示用スライダー４２のＵ字状キャビティ内には１つの位置決め溝が設けられる。位置決め突起の数および位置が、日付マーク４３に対応し、指示用スライダー４２が所定の位置にスライドすると、位置決め突起が、対応する１つの位置決め突起に係合することができる。
【００３７】
以上は本考案の好ましい実施形態のみであり、考案を何ら限定するものではなく、本考案の技術的原理に基づいて上記の実施例に対して行われたいかなる簡単な修正、同等の変更又修飾は、本考案の技術方案の範囲内に属する。
【図１】
0003229053.tif 000003
【図２】
0003229053.tif 000004
【図３】
0003229053.tif 000005
【図４】
0003229053.tif 000006
【図５】
0003229053.tif 000007